(57)【要約】  【課題】  高機能であっても、操作が複雑になったり、誤った操作をさせてしまう等の問題が生じることのない録画装置を提供する。  【解決手段】  録画装置において、複数の放送番組の映像データを、同時に録画するハードディスクと、前記複数の放送番組の映像データが、前記ハードディスクに同時に録画されている際に、前記複数の放送番組の映像データのうちの録画を停止したい１つの放送番組の映像データを、テレビモニタに表示し、選択する番組選択手段と、前記番組選択手段により選択された前記1つの放送番組だけの録画を停止する録画停止手段とを有する構成とした。【選択図】  図１
2010035244.tif 000002
【特許請求の範囲】
【請求項１】
複数の放送番組の映像データを、同時に録画するハードディスクと、
前記複数の放送番組の映像データが、前記ハードディスクに同時に録画されている際に、前記複数の放送番組の映像データのうちの録画を停止したい１つの放送番組の映像データを、テレビモニタに表示し、選択する番組選択手段と、
前記番組選択手段により選択された前記1つの放送番組だけの録画を停止する録画停止手段とを有することを特徴とする録画装置。
【請求項２】
前記ハードディスクは１つだけであることを特徴とする請求項１に記載の録画装置。
【請求項３】
番組情報の映像を外部表示装置に出力する出力手段を有し、
前記出力手段は、前記テレビモニタに表示されている番組映像データだけの番組情報の映像を出力することを特徴とする請求項１又は２に記載の録画装置。
【発明の詳細な説明】
【技術分野】
【０００１】
本発明はテレビチューナー等により受信された番組映像データを大容量の記憶媒体に録画する録画装置に関し、特に、ハードディスク等のランダムアクセス可能な記憶媒体を備える録画装置に関する。
【背景技術】
【０００２】
動画像データはデータ量が多いため番組映像データを録画する録画装置として、磁気テープを記憶媒体としたＶＴＲ（Video Tape Recorder）が広く使用されている。しかし、近年、高密度化によりハードディスク等のランダムアクセスが可能な記憶媒体でも大容量のものが出てきたため、ランダムアクセス可能な記憶媒体を用いた録画装置が登場している。ランダムアクセス可能な記録媒体を用いた録画装置は、従来のＶＴＲではできなかった様々な機能を備えることができる。
【発明の概要】
【発明が解決しようとする課題】
【０００３】
しかし、従来のＶＴＲより多機能になることで、操作が複雑になってしまう、誤った操作をさせてしまう等の問題が生じる可能性がある。本発明では、このような問題のない録画装置を提供することを目的とする。
【課題を解決するための手段】
【０００４】
請求項１に記載した発明は、録画装置において、複数の放送番組の映像データを、同時に録画するハードディスクと、前記複数の放送番組の映像データが、前記ハードディスクに同時に録画されている際に、前記複数の放送番組の映像データのうちの録画を停止したい１つの放送番組の映像データを、テレビモニタに表示し、選択する番組選択手段と、前記番組選択手段により選択された前記1つの放送番組だけの録画を停止する録画停止手段とを有する構成とした。
【０００５】
請求項２に記載した発明は、請求項１に記載の録画装置において、前記ハードディスクは１つだけである構成とした。
【０００６】
請求項３に記載した発明は、請求項１又は２に記載の録画装置において、番組情報の映像を外部表示装置に出力する出力手段を有し、前記出力手段は、前記テレビモニタに表示されている番組映像データだけの番組情報の映像を出力する構成とした。
【図面の簡単な説明】
【０００７】
【図１】図１は、本発明に係る録画装置の一実施形態を前面から見た図である。
【図２】図２は、本発明に係る録画装置の一実施形態の構成を示すブロック図である。
【図３】図３は、リモコン２４の外観を示す図である。
【図４】図４は、リモコン２４に設けられた表示部２１２を示す図である。
【図５】図５は、操作対象の選択制御を示すフローチャート図である。
【図６】図６は、ＣＭカットモードに設定されている時の番組記録制御のフローチャート図である。
【図７】図７は、録画中番組を再生するときの制御を示すフローチャート図である。
【図８】図８は、録画記録した画像データの再生制御を示すフローチャート図である。
【図９】図９は、録画記録した画像データの再生制御を示すフローチャート図である。
【図１０】図１０は、録画記録した画像データの再生制御を示すフローチャート図である。
【図１１】図１１は、カードスロット２２にカードメモリが挿入されたことを検出することにより行われる制御を示すフローチャート図である。
【図１２】図１２は、静止画像データの再生、記録制御を示すフローチャート図である。
【図１３】図１３は、静止画像データの記録制御を示すフローチャート図である。
【図１４】図１４は、静止画像データの再生制御を示すフローチャート図である。
【図１５】図１５は、ステーション２の構成を示すブロック図である。
【図１６】図１６は、デジタルカメラ３の構成を示すブロック図である。
【図１７】図１７は、録画装置１内のＣＰＵ１２で実行される画像吸い上げ制御のフローチャート図である。
【図１８】図１８は、録画装置１内のＣＰＵ１２で実行される画像吸い上げ制御のフローチャート図である。
【図１９】図１９は、信号受信制御を示すフローチャート図である。
【図２０】図２０は、信号受信制御を示すフローチャート図である。
【図２１】図２１は、信号受信制御を示すフローチャート図である。
【図２２】図２２は、実施の形態３の録画装置の動作を示すメインフローチャート図である。
【図２３】図２３は、カード挿入起動のフローチャート図である。
【図２４】図２４は、カード割込みのフローチャート図である。
【図２５】図２５は、図２４におけるステップS３１６のデータ吸上げ処理の詳細を示すフローチャート図である。
【図２６】図２６は、カード取出し割込みのフローチャート図である。
【図２７】図２７は、鑑賞割込みのフローチャート図である。
【図２８】図２８は、鑑賞のフローチャート図である。
【図２９】図２９は、メイン電源オフ割込みのフローチャート図である。
【発明を実施するための形態】
【０００８】
以下に本発明の実施の形態について説明する。
（実施の形態１）
先ず、本発明に係る録画装置の実施の形態１について説明する。図１は、本発明に係る録画装置の一実施形態を前面から見た図である。
【０００９】
カードメモリ挿入口１１２は、デジタルカメラ等で使用されるカードメモリ内の画像データを読み取る時にカードメモリを挿入するための開口部である。カードメモリ挿入口１１２の内部には後述するカードメモリスロット２２が配置されている。デジタルカメラで使用されているカードメモリは複数種類存在する。複数種類のカードメモリに対応するため複数の挿入口、スロットを用意してもよい。カードメモリ挿入口１１２の横には、イジェクトボタン１１３が設けられている。イジェクトボタン１１３は、カードメモリスロット２２に挿入されたカードメモリをイジェクトする。表示部１１０は、番組情報、時刻、「再生中」「録画中」等の状況、ハードディスク１６の残容量等を表示する。ＵＳＢコネクタ１１５は、ＵＳＢインターフェースを備えた他の機器と信号の授受を行うためのコネクタである。IEEE1394コネクタ１１４は、IEEE1394インターフェースを備えたデジタルカメラ等の他の機器と信号の授受を行うためのコネクタである。
【００１０】
また、録画装置１には、録画、再生等の制御を開始するために用いられる電源ボタン１００、選択ボタン１０２、再生一時停止ボタン１０３、再生ボタン１０４、再生停止ボタン１０５、録画一時停止ボタン１０６、録画ボタン１０７、録画停止ボタン１０８、十字ボタン１０９が設けられている。再生一時停止ボタン１０３、再生ボタン１０４、再生停止ボタン１０５の３ボタンは近接して配置されている。また、再生の３ボタンと少し離れた位置に、録画一時停止ボタン１０６、録画ボタン１０７、録画停止ボタン１０８の３ボタンが近接して配置されている。このように、再生用のボタンと録画用のボタンとを離して配置することにより誤操作を防ぐ。これらボタンは、後述するリモコン２４に設けられた同名を付したボタンと同様の機能を有する。これらボタンの機能については、リモコン２４の説明でされるのでここでは省略する。また、後述するフローチャート図の説明ではリモコン２４に設けられているボタンを使用した例を説明しているが、録画装置１に設けられた同名を付したボタンでも同様に使用できる。
【００１１】
図２は、本発明に係る録画装置の一実施形態の構成を示すブロック図である。
【００１２】
アンテナ２５は、放送局から送信されるデジタル放送信号を受信して選局回路４に出力する。放送局は、映像信号にＭＰＥＧ２方式の圧縮符号化処理を施した番組映像データに、例えば番組に関連した情報をＨＴＭＬ形式等の様々なデータを付加してデジタル放送信号として送信する。選局回路４は、アンテナ２５と接続され、アンテナ２５により受信されたデジタル放送信号から所定の伝送チャンネルを選択する回路である。復調・誤り訂正回路５は、選局回路４から出力された伝送チャンネルの受信データにＱＰＳＫ等の復調処理を施した、誤り訂正処理を行う回路である。
【００１３】
パケット分離回路６は、受信データのビットストリーム中に含まれる識別情報に基づいてパケットを分離しパケット単位毎のビットストリーム得るための回路であり、番組映像データと番組付加データとを分離する。ＭＰＥＧ回路７は、パケット分離回路６で分離されたＭＰＥＧ２方式の番組映像データをデコードし、符号化される前の映像信号と音声信号とに戻す回路である。オンスクリーン回路８は、ＭＰＥＧ回路７からの映像信号とオンスクリーンデータ作成回路１５からのオンスクリーンデータと合成する回路である。オンスクリーン回路８により、ＭＰＥＧ回路７からの映像信号に文字等の情報をオンスクリーン（スーパーインポーズ）することができる。音声回路９は、映像信号に対応する音声を再生するため増幅等の処理を施す回路である。情報デコード回路１０は、パケット分離回路６で分離された番組付加データをデコードする回路である。ＪＰＥＧ回路１１は、番組付加データに含まれるＪＰＥＧ方式の画像データ、デジタルカメラから入力したＪＰＥＧ方式の画像データをデコードする回路である。
【００１４】
ＣＰＵ１２は、録画装置内の各回路と電気的に接続されており、各回路を制御し装置における機能の全てを司る制御回路である。また、ＣＰＵ１２内にはＲＯＭを有し、再生ボタン、録画ボタン等の操作に応答して表示する「再生中」「録画中」等の文字データ、装置を制御するためのプログラムデータ等を記憶している。メモリ１３は、さまざまなデータを一時的に記憶するメモリである。スイッチ回路１４は、再生ボタン、停止ボタン等の操作を検出してＣＰＵ１２に伝達する回路である。更にリモコン２４から送信された信号を検出してＣＰＵ１２に伝達する。オンスクリーンデータ作成回路１５は、再生ボタン、録画ボタン等の操作に応答して表示する「再生」「録画」等の文字データ、番組付加データからのＨＴＭＬデータ等のオンスクリーンデータを作成する回路である。
【００１５】
ハードディスク１６は、ＶＴＲにおけるカセットテープのように番組映像データを録画するための大容量メモリである。また、デジタルカメラから転送された画像データを記録する。また、ハードディスクのように内蔵型のものだけでなくＤＶＤディスク等の大容量リムーバブルメモリでもよい。ハードディスクドライバ１７は、ＣＰＵ１２からの指令に従ってハードディスク１６の駆動を制御する。
【００１６】
ＵＳＢインターフェース１８は、ＵＳＢ規格に従った信号により外部機器とやりとりを行う回路である。ＵＳＢコネクタ１１５は、ＵＳＢインターフェース間を結ぶＵＳＢケーブルを接続するためのコネクタでａある。IEEE1394インターフェース２０は、IEEE1394規格に従った信号により外部機器とやりとりを行う回路である。IEEE1394コネクタ１１４は、IEEE1394インターフェース間を結ぶIEEE1394ケーブルを接続するためのコネクタである。カードスロット２２は、デジタルカメラ６に装着されるカードメモリ（コンパクトフラッシュ、スマートメディア、メモリースティック等）と接続する接点を有し、接続されたカードメモリ内のデータを読み取ったり、カードメモリ内にデータを書き込んだりすることができる。また、カードスロット２２は、カードメモリが挿入されたことを検出するとＣＰＵ１２に信号を送信する。なお、コンパクトフラッシュは米国San Disk社、スマートメディアは（株）東芝、メモリースティックはソニー（株）のそれぞれ商品名である。カードドライバ２３は、カードスロット２２に装着されたカードメモリからデータを読み取ったり、カードメモリにデータを書き込んだりするためのものである。
【００１７】
リモコン２４は、再生ボタン、録画ボタン等の複数のボタンを備え、録画装置１のさまざまな機能を実行させるために操作される。また、リモコン２４は、録画装置に操作信号を送信するのみでなく、録画装置から信号を受信し、番組映像データ等の情報を取得する。録画装置から取得した情報は後述する表示部２１２に表示する情報として用いられる。以下に図３を用いてリモコン２４について説明する。
【００１８】
図３は、リモコン２４の外観を示す図である。リモコン２４は、電源ボタン２００、テレビ／録画装置切換ボタン２０１、選択ボタン２０２、再生一時停止ボタン２０３、再生ボタン２０４、再生停止ボタン２０５、記録一時停止ボタン２０６、録画ボタン２０７、録画停止ボタン２０８、十字ボタン２０９、○ボタン２１０、×ボタン２１１、表示部２１２を備える。
【００１９】
電源ボタン２００は、録画装置の主電源をオン・オフするためのボタンである。テレビ／録画装置切換ボタン２０１は、録画装置１を介してテレビを制御するためのボタンである。このボタンの操作により、テレビは、録画装置１から入力された映像をテレビモニタに表示するかテレビ自身の映像または他の映像機器から入力された映像をテレビモニタに表示するかを切り換えることができる。選択ボタン２０２は、表示部２１２に表示されている複数の番組、静止画像の中から録画、再生等の操作を行う対象を選択するときに操作される。選択ボタン２０２を操作することにより選択モードに移行し、選択モード中に十字ボタン２０９を操作することにより操作対象を選択することができる。再生一時停止ボタン２０３は、記録したデータの再生を一時的に停止させるために操作するボタンである。停止した状態で操作すると再生を再開する。
【００２０】
再生ボタン２０４は、記録したデータを再生するときに操作されるボタンである。再生停止ボタン２０５は、再生を停止するときに使用するボタンである。記録一時停止ボタン２０６は、データの記録を一時的に停止させるために操作するボタンである。停止した状態で操作すると記録を再開する。録画ボタン２０７は、番組映像データの記録を開始するとき、静止画像をカードメモリからハードディスク１６に記録するときに操作されるボタンである。録画停止ボタン２０８は、記録を停止するときに使用するボタンである。
【００２１】
ここで、停止ボタン、一時停止ボタンが記録用と再生用をそれぞれ備える理由は、本録画装置が再生と記録を同時に行うことができるためそれぞれ別に操作される必要があるためである。また、本録画装置は複数の同時記録、複の同時再生が可能であるので、複数の同時記録の場合に対応するために、同時に記録、再生できる数に相当分の同一機能のボタンを複数用意するようにしてもよい。しかし、本録画装置では、ボタンの数をあまり増やさないように、画面上の表示により操作対象を選択し、記録、再生の停止等をボタンで指令する。
【００２２】
十字ボタン２０９は、選択画面では画面上に表示されたカーソルを上下左右に自由に動かすために用いられる。また、テレビ番組の観賞中に十字ボタン２０９を左右の横方向に操作するとチャンネルが切り替わる。このとき、鑑賞時間の長い順、観賞した回数が多い順等の所定の優先順位でチャンネルが移る。よく観賞する番組の曜日、時間帯を記憶しておき、十字ボタン２０９を操作する曜日、時間帯により、よく観賞する番組のチャンネルが優先される。また、記録したデータの再生中に十字ボタン２０９を横方向に操作すると動画像の早送り、静止画像のコマが送られる。また、十字ボタン２０９の上下方向への操作では、音量が調整される。更に選択ボタン２０２が操作され選択モードである場合には操作対象を選択するために用いられる。○ボタン２１０は、テレビモニタまたは表示部２１２に表示される様々な問い合わせに対して肯定するときに操作されるボタンである。×ボタン２１１は、テレビモニタまたは表示部２１２に表示される様々な問い合わせに対して否定するときに操作されるボタンである。表示部２１２は、録画装置１から情報を取得して、現在記録している番組等の記録状態等の情報を表示する。複数の番組が記録または再生中のときには操作対象になっている番組を反転表示にする等識別可能に表示する。以下に表示部２１２における表示例について図４を用いて説明する。
【００２３】
図４は、リモコン２４に設けられた表示部２１２を示す図である。表示部２１２は、図４に示すように複数行、複数列の２次元の表示スペースを持つ。横一行につき１つの番組映像データ、静止画像データ等に関する情報が表示される。縦の列に表示される項目について説明する。一列目には、「記録中」「再生中」「予約中」「再生未」等、操作対象データの現在の状態を表示する。二列目には、操作対象データの種類を表示する。具体的には、「静止画像」「番組」等を表示する。三列目には、操作対象データの番組タイトル、ファイル名等を表示する。四列目には、操作対象データを記録した記録日時、経過時間を示す。また、上述したデータの情報以外に、ハードディスク１６の残容量、使用者に対する様々な問い合わせ、録画装置１からの警告等も表示する。
【００２４】
もしこのような表示を行う表示部がない場合には、例えば複数の番組、番組１と番組２を同時に記録している場合に、記録停止ボタン２０８を操作しても番組１、番組２のどちらの記録が停止するのか確認することができない。表示部を利用することにより、誤りなく操作対象の番組を容易に確認することができる。また、選択ボタン２０２と十字ボタン２０９により操作対象が変更された場合には、リモコン２４の表示部２１２上で選択された操作対象を反転表示するとともに、録画装置１は変更に応答してテレビモニタへ出力する映像を変更する。以下に選択制御について図５を用いて具体的に説明する。図５は、操作対象の選択制御を示すフローチャート図である。リモコン２４のまた、本フローの処理はリモコン２４から受け取った信号に基づいて録画装置１内のＣＰＵ１２により行われる。そしてその処理結果をリモコン２４が受け取り表示を行う。図５に示すフローチャートはリモコン２４に設けられた選択ボタン２０２が操作され、選択モードに移行することによりスタートする。選択ボタン２０２が操作され、更に十字ボタン２０９が操作されるまでは、直前に操作対象であったデータが操作対象データとして継続され、反転表示されている。
【００２５】
ステップＳ１では、十字ボタン２０９が操作され、操作対象データの切り換えがなされた否かを検出し、検出した場合にはステップＳ２に進み、検出しない場合にはステップＳ８に進む。ステップＳ２では、選択されたデータに対応する情報の表示を反転する。ステップＳ３では、現在、再生中であるか否かを検出する。再生中である場合にはステップＳ４に進み、再生中でない場合にはステップＳ６に進む。ステップＳ４では、新たに選択された操作対象が記録中データであるか否かを検出する。記録中データでない場合、すなわち再生が行われるデータである場合にはステップＳ５に進み、記録中データである場合にはステップＳ７に進む。ステップＳ５では、新たに選択されたデータを再生するために、現在再生中データの再生を中断する。ステップＳ６では、テレビモニタへの出力映像を、以前選択されていたデータの画像から新たに選択されたデータの画像に切り換える。例えば、記録中の番組映像データが選択された場合には放送中のその番組を表示する。ステップＳ７では、以前選択されていたデータに対する記録または再生、停止の操作を禁止し、新たに選択されたデータに対して、停止等の操作を許可する。
【００２６】
一方、ステップＳ８では、選択ボタン２０２が操作され、選択状態が解除されたか否かを検出する。検出した場合には本フローを終了し、検出しない場合にはステップＳ１に戻る。
【００２７】
以下に、実施の形態１の録画装置における放送番組録画機能について説明する。
【００２８】
録画装置１では、番組本編の途中に入るコマーシャル（ＣＭ）をカットして記録するＣＭカット機能を備える。
【００２９】
この機能を使用して録画した番組映像データは、ＣＭカットのたびに分断された複数個の画像データとして記録されることになる。実施形態１の録画装置１では分断された複数個の本編の番組映像データをそれぞれ結合して、１つのファイルとして保存する。または、それぞれ別ファイルとして保存する場合にはそれぞれを関連付けして保存するようにする。このように保存することにより、再生ボタンを１回の操作するだけで、１番組を通して全て見ることができる。以下にＣＭカット機能を使って番組を録画するＣＭカットモードに設定されているときの番組記録制御について図６を用いて説明する。
【００３０】
図６は、ＣＭカットモードに設定されている時の番組記録制御のフローチャート図である。ステップＳ１１では、番組映像データをＭＰＥＧ２方式でハードディスク１６に記録する。番組映像データの記録は、ＣＭになると一旦記録を停止する。停止する毎に１つのファイルとして記録する。そしてＣＭが終了すると番組の記録を再開する。このように、ＣＭカットして記録が途切れる毎に１つのファイルを作成する制御を繰り返す。ここで、ＣＭカット毎に１つのファイルを作成していくことにより、何らかの原因で正常に録画が終了できなかった場合でも、ＣＭカット毎に作成したファイルは再生することができ、全ての番組映像データが再生できなくなることがない。
【００３１】
ステップＳ１２では、番組映像データの録画が終了したか否かを検出する。終了した場合にはステップＳ１３に進み、終了していない場合にはステップＳ１１に戻り録画を継続する。ステップＳ１３では、録画終了までに作成されたファイルを１つのファイルとして形成し直して記録し、終了する。この時、ファイル名は、番組タイトルと記録日時等から作成される。また、番組映像データとともに受信した番組付加データ中のインターネットアドレス情報、ＨＴＭＬ形式ファイルは、番組映像データの再生時に表示すべきタイミングに表示できるように番組映像データと関連付けしてハードディスク１６に記録される。
【００３２】
また、実施形態１の録画装置１は、カットしたＣＭデータを記録しておき、鑑賞者の任意の指示により番組再生中にＣＭを入れることができる。例えば、長時間の観賞に疲れた場合等の小休止のときにその番組放送中に記録したＣＭのみを再生するようにできる。
【００３３】
更に、実施形態１の録画装置１は、小休止等で番組映像データの再生を一旦停止した後に再開するとき、停止した場面からある時間分遡った再生済み場面から再生するように制御する。例えば、継続した音声部分の最初の場面まで遡って再生を開始する。これにより途中から再生を開始してもその場面の内容を理解しやすくなる。特に再生停止から再開までに所定時間以上経過した場合に上記制御による効果が大きい。
【００３４】
なお、番組映像データの容量を少なくするため記録時にＣＭ部分をカットする例を説明したが、番組中のＣＭも番組映像データとしてハードディスク１６に記録しておき、再生時にＣＭをカットしてもよい。その場合には番組映像データ中のＣＭ部分を特定する信号を同時にハードディスクに記録し、再生時にその信号からＣＭ部分であることを判別してカットして再生する。また、ＣＭ部分を特定する信号を記録しておく以外に、ハードディスク１６中のＣＭ部分のアドレス情報を記憶しておき、ＣＭ部分のアドレスのデータをカットして再生することにより実現する。
【００３５】
また、実施形態１の録画装置１は、ハードディスク１６にデータを記録しながら記録済みデータを読み出すことができる。これにより、放送中番組の録画を継続しながら、同放送中番組の先に記録した部分を時間差で観賞する機能を有する。
【００３６】
この機能を使用して、放送開始から数分遅れで番組の観賞をはじめ、ＣＭカット、早送り等を行うことにより録画装置に録画された番組映像データの再生場面が放送中場面に追いつくことがある。このように追いついた場合には再生を停止して再生映像から放送中映像に自動的に切り換える。また、追いついたことを知らせると共に録画を停止するか問い合わせる表示をテレビモニタにオンスクリーン表示する。録画停止ボタンが操作された場合には追いついた時点で記録を停止し、停止するまで記録した番組映像データは既に観賞済みなので消去する。録画停止ボタンが操作されない場合には録画を継続し、録画した番組映像データは既に観賞した部分も含めて保持する。以下に、具体的な制御について図７を用いて説明する。図７は、録画中番組を再生するときの制御を示すフローチャート図である。
【００３７】
ステップＳ２１では、番組記録と記録した番組映像データの再生を行う。ステップＳ２２では、再生している映像が現時刻から所定時間内に記録したものか否かを検出する。所定時間内に記録した映像である場合にはステップＳ２３に進み、所定時間内に記録した映像でない場合にはステップＳ２１に戻り、番組の記録と再生を継続する。ステップＳ２３では、もうすぐ再生している映像が放送の映像に追いつく旨を通知する表示を行う。また、追いついたら録画を停止させるかを問い合わせる旨の表示も行う。ステップＳ２４では、時間差が無くなったか否かを検出し、時間差が無くなった場合にはステップＳ２５に進み、時間差がある場合にはステップＳ２３に戻る。
【００３８】
ステップＳ２５では、再生を停止し、テレビモニタに出力する映像を再生映像から放送映像に切り換える。また、ここでは再生を停止したが、録画が継続されるのであれば再生を継続しその映像をテレビモニタに出力し続けてもよい。その場合に、早送り再生により時間差がなくなったときに早送り再生から通常の再生に切り換える。ステップＳ２６では、録画停止ボタン２０８が操作され録画を停止させる指示がなされたか否かを検出する。検出した場合にはステップＳ２７に進み、検出しない場合にはステップＳ２９に進む。ステップＳ２７では、録画を停止し、ステップＳ２８では、これまで録画した放送中番組映像データを消去して本フローを終了する。ここで、録画した番組映像データを消去する理由は、鑑賞は済んでいるし、以降の録画も停止されているからである。
【００３９】
一方、ステップＳ２９では、一連の番組放送が終了したか否かを検出し、終了した場合にはステップＳ３０に進み、終了していない場合には番組映像データの録画を継続する。ステップＳ３０では、録画を停止し、番組映像データが１つのファイルとなる処理を施して本フローを終了する。
【００４０】
また、実施の形態１の録画装置１は、内蔵のハードディスク１６に番組映像データを録画するものであり、ＶＴＲと異なり録画した番組映像データを消去するときには消去する旨を指示する必要がある。録画装置１は、消去する旨の指示を促すために以下に説明する機能を持つ。
【００４１】
録画装置１は、録画した番組映像データを最後まで観賞すると自動的に停止し、消去（上書き可能に）してよいか問い合わせる機能を有する。また、録画した番組映像データを途中で観賞を停止した場合には、観賞した番組映像データを、残すか、消去するか、観賞したところまで消去するか問い合わせる機能も有する。観賞したところまで消去する場合には、未観賞の番組映像データでファイルを作成し直す。その際、一覧表示に用いるサムネイル画像は作成し直さずに元のサムネイル画像を保持する。以下に、具体的な制御について図８から図１０を用いて説明する。図８から図１０は、録画記録した画像データの再生制御を示すフローチャート図である。
【００４２】
本フローは、再生する番組映像データまたは番組映像データ以外の画像データが選択され、再生ボタン２０４が操作されることによりスタートする。
【００４３】
図８において、ステップＳ３１では、再生するデータが番組映像データであるか否かを検出する。番組映像データである場合にはステップＳ３４に進み、番組映像データでない場合にはステップＳ３２に進む。ステップＳ３２では、選択されている画像データを再生する。ステップＳ３３では、再生停止ボタン２０５が押されたか否かを検出し、押された場合には本フローを終了する。また、押されない場合にはステップＳ３２に戻り、再生を継続する。ここで、停止されたときに消去を促す制御は行わない。
【００４４】
一方、ステップＳ３４では、圧縮して記録されている番組映像データを伸長して再生する。ステップＳ３５では、番組が最後まで再生され終了したか否かを検出する。終了した場合には図９におけるステップＳ４３に進み、終了していない場合にはステップＳ３６に進む。ステップＳ３６では、再生停止ボタン２０５が操作されたか否かを検出する。操作を検出した場合にはステップＳ３７に進み、検出しない場合にはステップＳ３４に戻り再生を継続する。ステップＳ３７では、番組映像データの再生を停止し、ステップＳ３８では、停止した位置情報を記憶する。次に再生するときには停止した位置から再生できる。ステップＳ３９では、番組映像データを消去するか問い合わせる通知をテレビモニタ画面上に表示できるよう制御する。
【００４５】
ステップＳ４０では、○ボタン２１０が操作されたか否かを検出する。操作を検出した場合には図１０におけるステップＳ４９に進み、検出しない場合にはステップＳ４１に進む。ステップＳ４１では、×ボタン２１１が操作されたか否かを検出する。操作を検出した場合には番組映像データを消去せずに本フローを終了する。操作を検出した場合にはステップＳ４２に進む。ステップＳ４２では、再生ボタン２０４が操作されたか否かを検出する。操作を検出した場合にはステップＳ３４に戻り、停止した位置からの再生を開始する。また、操作を検出しない場合にはステップＳ３９に戻り、消去するかの通知を継続する。
【００４６】
一方、ステップＳ４０において○ボタン２１０の操作を検出した場合に進む、ステップＳ４９では、番組映像データ全てを消去するか、観賞したところまで消去するかを選択するよう問い合わせる通知をテレビモニタ画面上に表示できるように制御する。このとき、十字ボタン２０９を使用してテレビモニタ画面上にて「番組映像データ全てを消去する」か「観賞したところまで消去する」のどちらか一方を指定できる。ステップＳ５０では、○ボタン２１０が操作されたか否かを検出する。操作を検出した場合にはステップＳ５１に進み、検出しない場合にはステップＳ４９に戻る。
【００４７】
ステップＳ５１では、ステップＳ５０で○ボタン２１０が操作されたときにモニタ画面上で「番組映像データ全てを消去する」が選択されていたか否かを検出する。選択されていた場合にはステップＳ５２に進み、観賞していた番組映像データの全てを消去し、本フローを終了する。また、選択されていない場合にはステップＳ５３に進む。ステップＳ５３では、観賞したところまでの番組映像データを消去するよう選択されていたことになるので、ステップＳ３８において記憶された停止位置情報に基づいて観賞していたところまでの番組映像データを消去する。ステップＳ５４では、番組映像データの消去しなかった残りの番組映像データにより新たにファイルを作成記録し、本フローを終了する。
【００４８】
また、ステップＳ３５において番組が最後まで再生された場合に進むステップＳ４３では、自動的に番組映像データの再生を停止する。そして、ステップＳ４４では、観賞していた画像データを消去するかを問い合わせる通知をモニタ画面上に表示できるように制御する。
【００４９】
ステップＳ４５では、○ボタン２１０が操作されたか否かを検出する。操作を検出した場合にはステップＳ４６に進み、検出しない場合にはステップＳ４７に進む。ステップＳ４６では、番組映像データの消去が行い、本フローを終了する。ステップＳ４７では、×ボタン２１１が操作された否かを検出する。操作を検出した場合には番組映像データを消去せずに本フローを終了する。また、操作を検出しない場合にはステップＳ４８に進む。ステップＳ４８では、ステップＳ４４にてテレビモニタ画面に消去するかを問い合わせてから所定時間経過したか否かを検出する。所定時間経過していなければステップＳ４４に戻り、所定時間経過していれば番組映像データを消去せずに本フローを終了する。
【００５０】
なお、使用者が撮影したデジタルカメラから読み込んだ静止画像、動画像データは、一度観賞したデータであってもハードディスク１６から通常消去しない。ハードディスク１６に記録されている番組映像データ、静止画像データのうちの保存しておきたいデータは、IEEE1394コネクタ１１４を介して接続された外部の記録装置にダウンロードしたり、カードメモリに書き込んだりすることができる。放送番組は著作権の問題上、ダウンロードを禁止しているものがある。一覧表示画面でダウンロード禁止ファイルとそうでないファイルとを区別できるようにする。また、一覧表示画面では、静止画像のみの一覧、番組映像データの一覧、動画像の一覧等の表示も可能にする。
【００５１】
また、番組映像データは予め決められたテレビモニタに合ったサイズのデータが送信されるため問題にならないが、静止画像は、撮影時にサイズの設定を行ったり、画像処理を施してサイズを変更したりできるため、テレビモニタの画面サイズに合わせて表示させるためには、間引きまたは補間をして画像のサイズを一定にしなければならない。画像サイズを自動的に一定サイズにする画像処理回路を備えている。また、縦横比の異なるパノラマ画像についても同様に調節を必要とする。
【００５２】
以下に、実施形態１の録画装置による静止画像データの再生制御、記録制御について説明する。カードスロット２２にカードメモリが挿入されると、カードメモリ内に記録されたデータを吸い上げる制御が開始される。パソコンと異なり装置において扱えるデータはＭＰＥＧ方式、ＪＰＥＧ方式等の画像データか音声データ、ＨＴＭＬ方式のデータ等の限られたものであるのでその他の形式のデータは吸い上げないようにする。更に、画像データ、音声データの中でも取り扱えるデータのみを吸い上げる。これにより、無駄なデータが録画装置内に記録されることがない。録画装置１において扱えるデータであるか否かは、データのファイル名（拡張子）等から判断される。
【００５３】
また、デジタルカメラがケーブルを介してIEEE1394端子、ＵＳＢ端子に接続されると同様にデジタルカメラ内に記録されているデータを吸い上げる制御が開始される。その時、画像データ吸い上げ中は、吸い上げ中を示すキャラクタ、文字をオンスクリーン表示する。
【００５４】
また、実施の形態１の録画装置は、ＤＣＦ、ＤＰＯＦに対応しており、画像データのファイルにプリント枚数等のデータを付加することができる。また、接続されたプリンタは付加されたデータに従ってプリントアウトすることができる。
【００５５】
また、デジタルカメラが接続されると先ず、録画装置で扱える画像データ、音声データの情報を送信する。そして、その情報を受け取ったデジタルカメラは、扱えるデータはそのまま転送し、扱えないデータ、例えば、独自の記録形式で記録されたローデータ等のデータからＪＰＥＧ方式のデータを一旦作成し、転送するようにする。このように、通信により機器情報をやりとりすることにより、データ形式を変更して転送するようにすることにより利便性が増す。その場合には、転送したデータに対応するローデータは消去しない。また、変換されたデータと共に、ローデータも転送するようにしてもよい。それにより、デジタルカメラ内のメモリ残量を減らすことができる。
【００５６】
また、同時に並列して録画、再生が可能な数を越えているとき、デジタルカメラからの画像データの読み込みより放送番組映像データの録画、再生を優先する。これにより、デジタルカメラから画像データの読み込み中に放送番組の録画が指示された場合に、デジタルカメラからの画像データの読み込み終了を待つことなく放送番組の録画を開始するので番組映像データを損なうことがない。また、デジタルカメラからの画像データの読み込みが中断された場合に、放送番組が終了したり、放送がＣＭになり放送番組映像データの録画が中断され記録可能になったときにデジタルカメラからの画像データの読み込みを自動的に再開するので再度読み込み指示を行うことがない。
【００５７】
以下に、図１１から図１４を用いて具体的な制御について説明する。
【００５８】
先ず、カードスロット２２にカードメモリが挿入された場合の制御を説明する。カードメモリがカードスロット２２に挿入されるとカードメモリ内に存在する画像データのサムネイル画像を受信して一覧を表示する。リモコンの十字キーにより選択され、録画ボタンが操作されると選択された画像について、ハードディスク１６にコピーを開始する。録画装置１には待機電流が流れておりカードメモリの挿入を検出することができ、録画装置１を駆動するメイン電源を投入する制御も行える。図１１は、カードスロット２２にカードメモリが挿入されたことを検出することにより行われる制御を示すフローチャート図である。
【００５９】
図１１において、ステップＳ６１では、著作権保護の対処がなされているカードメモリか否かを検出する。著作権保護対応のカードメモリであればステップＳ６２に進み、著作権保護対応のカードメモリでなければステップＳ６６に進む。ステップＳ６２では、カードメモリ内に静止画像データが存在するか否かを検出する。静止画像データが存在する場合にはステップＳ６３に進み、静止画像データが存在しない場合にはステップＳ６５に進む。ステップＳ６３では、ダウンロードするかアップロードするかを問い合わせる。ここで、ダウンロードとは、インターネット等を経由して配信される音楽データ、画像データ等をカードメモリ等に記録することをいう。また、アップロードとは、カードメモリ内に記録されている画像データを録画装置内のハードディスク１６に記録することをいう。
【００６０】
ステップＳ６４では、ステップＳ６３の問い合わせに対して、ダウンロードが選択されたか否かを検出する。ダウンロードが選択された場合にはステップＳ６５に進み、ダウンロードが選択されなかったときにはステップＳ６７に進む。ステップＳ６５では、データ配信のメニューを表示し、データ配信モードに切り替わる。データ配信モードは、インターネットに接続し、欲しい音楽等のデータの検索、ダウンロードを可能にするモードである。
【００６１】
一方、ステップＳ６６では、カードメモリ内に静止画像データが存在するか否かを検出する。存在する場合にはステップＳ６７に進み、存在しない場合には画面変更、モード変更等を行わず本フローを終了する。ステップＳ６７では、図１２に示す静止画像を再生、記録するための静止画像制御を実行する。
【００６２】
以下に、図１２から図１４を用いて、静止画像データの再生、記録制御を説明する。図１２は、静止画像データを再生、記録するための静止画像制御を示すフローチャート図である。
【００６３】
図１２において、ステップＳ７１では、現在の設定モードを検出して、放送中の番組、録画された番組、動画像の観賞中であるかを確認する。観賞中であればステップＳ８２に進み、観賞中でなければステップＳ７２に進む。ここで、観賞中であるか否かを検出する理由は、観賞中でなければテレビモニタ画面の表示を変えてしまっても支障がないと判断できるからである。ステップＳ７２では、モードを静止画モードに切り換える。ここで、静止画モードとは、デジタルカメラから読み込んだ静止画像を表示するモードである。
【００６４】
ステップＳ７３では、装填されたカードメモリに記録されている画像データに添付されているサムネイル画像データを取得し、ステップＳ７４ではテレビモニタ画面上にサムネイル画像による一覧表示を行う。ステップＳ７５では、一覧表示されたサムネイル画像の中から１つまたは複数の画像を選択するように問い合わせの表示を行う。ここで、十字ボタン２０９により画像を指定し、○ボタン２１０を操作することにより指定された画像が選択された状態となる。
【００６５】
ステップＳ７６では、リモコン２４の十字ボタン２０９、○ボタン２１０により画像データが選択されたか否かを検出し、選択されている場合にはステップＳ７７に進み、選択されていない場合にはステップＳ８７に進む。ステップＳ７７では、録画ボタン２０７が操作されたか否かを検出し、検出すればステップＳ７８に進み、検出しなければステップＳ８０に進む。ステップＳ７８では、選択された画像に対応する画像データを取得する画像データとして指定し、ステップＳ７９で指定された画像データを取得し、ハードディスク１６に記録する制御が行われる。記録制御については図１３を用いて説明する。ステップＳ８０では、再生ボタン２０４が操作されたか否かを検出し、検出すればステップＳ８１に進み、検出しなければステップＳ８７に進む。ステップＳ８１では、選択された画像を再生する制御が行われる。再生制御については図１４を用いて説明する。
【００６６】
一方、ステップＳ７１で観賞中であった場合に進むステップＳ８２では、カードメモリに記録されている全画像データをハードディスク１６に記録するか問い合わせる表示を行う。ここでは、番組等を観賞中であるのでカードメモリ内の画像データを表示することができないので、個々の画像を選択することができない。全画像データを一括して記録するか否かを番組等の映像の隅に文字によりオンスクリーン表示する。
【００６７】
ステップＳ８３では、○ボタン２１０が操作されたか否かを検出し、操作を検出すればステップＳ８５に進み、操作を検出しなければステップＳ８４に進む。ステップＳ８４では、×ボタン２１１が操作されたか否かを検出し、操作を検出すればステップＳ８７に進み、操作を検出しなければステップＳ８２に戻る。ここで、○ボタン２１０が操作されたときには、全画像を一括して記録するかの問いに対して肯定したものと判断し、×ボタン２１１が操作されたときには、問いに対して否定したものと判断する。ステップＳ８５では、カードメモリ内の全ての画像データを取得する画像データとして指定する。ステップＳ８６では、図１３に示す記録制御を実行する。ステップＳ８７では、×ボタン２１１が操作されたか否かを検出する。操作を検出すればステップＳ８８に進み、操作を検出しなければステップＳ７４に戻る。ステップＳ８８では、静止画モードに入る前のモードに戻し、画面表示も変更し、本フローを終了する。
【００６８】
次に図１３を用いて記録制御について説明する。図１３は、静止画像データの記録制御を示すフローチャート図である。
【００６９】
図１３において、ステップＳ９１では、記録可能な状態か否かを検出し、記録可能な状態である場合にはステップＳ９２に進み、記録可能な状態でない場合にはステップＳ９７に進む。本録画装置は複数の同時記録を可能にしている。従って、例えば、番組の記録中でも静止画像データを記録することができる。しかし、既に複数番組を同時記録している場合には、静止画像データの記録より番組記録を優先するため画像データの記録ができない場合がある。ステップＳ９２では、指定された画像データをカードメモリから取得する。ステップＳ９３では、取得した画像データをハードディスク１６に記録する。ここでハードディスク１６には、番組映像データと静止画像データとを別のフォルダに記録する等、区別可能に記録する。
【００７０】
ステップＳ９４では、指定された画像データの取得、記録が終了したか否かを検出する。終了した場合にはステップＳ９６に進み、終了していない場合にはステップＳ９５に進む。ステップＳ９６では、ハードディスク１６への記録が終了したカードメモリ内の指定画像データを消去する。ステップＳ９５では、録画停止ボタン２０８が操作されたか否かを検出し、操作を検出すれば本フローを終了し、図１２のフローにリターンする。また、操作を検出しない場合にはステップＳ９１に戻り、記録制御を継続する。
【００７１】
一方、ステップＳ９１で記録可能な状態でない場合に進むステップＳ９７では、現在画像の記録が不可であり、記録可能になり次第記録を行う旨の表示を行う。このままの状態で放置した場合には、番組記録の終了、ＣＭ中等で記録が可能になったときにカードメモリ内の画像データの記録が自動的に開始される。
【００７２】
図１４を用いて再生制御について説明する。図１４は、静止画像データの再生制御を示すフローチャート図である。ここでは、カードメモリ内の画像データの再生例を示す。
【００７３】
図１４において、ステップＳ１９９では、選択された画像データの内の最初に選択された画像を指定する。ステップＳ２００では、再生可能か否かを検出する。可能である場合にはステップＳ２０２に進み、可能でない場合にはステップＳ２０１に進み、現在静止画像を再生することが不可能である旨を表示し、ステップＳ２１０に進む。ステップＳ２０２では、指定された画像データをカードメモリから取得してバッファメモリに一時保存し、ステップＳ２０３では、取得した画像データを再生し、表示する。
【００７４】
ステップＳ２０４では、録画ボタン２０７が操作されたか否かを検出し、検出した場合にはステップＳ２０５に進み、検出しない場合にはステップＳ２０８に進む。ステップＳ２０５では、記録が可能であるかを検出し、可能である場合にはステップＳ２０７に進み、可能でない場合にはステップＳ２０６に進み、現在記録が不可能である旨を表示し、ステップＳ２１０に進む。
【００７５】
ステップＳ２０７では、再生中の静止画像データをハードディスク１６に記録する。ステップＳ２０８では、十字ボタン２０９が操作されたか否かを検出し、検出した場合にはステップＳ２０９に進み、検出しない場合にはステップＳ２１０に進む。ステップＳ２０９では、現在表示されている画像の次に選択された画像を指定し、ステップＳ２００に戻る。ステップＳ２１０では、再生停止ボタン２０５が操作されたか否かを検出し、検出した場合にはステップＳ２１１に進み、検出しない場合にはステップＳ２００に戻る。ステップＳ２１１では、画面表示をサムネイル一覧画面に戻し、再生制御フローをリターンする。
【００７６】
以上のように、デジタルカメラからの画像データの再生、記録を番組映像データの再生、録画に使用するボタンを兼用して使用することによりボタンの数を増やすことなく、不都合のない再生、記録操作が行える。
【００７７】
また、録画装置１のカードスロット２２に装填されたカードメモリ内の画像データの読み出しについて説明したが、IEEE1394コネクタ１１４を介してデジタルカメラとケーブル等で直接接続して画像データを読み出すときにも録画ボタン、再生ボタンを使用して同様に実現できる。
（実施の形態２）
次に、本発明に係る録画装置の実施の形態２について説明する。実施の形態２は、カードメモリから画像データを読み出すのではなくデジタルカメラからケーブルを介して画像データを読み出す場合の一実施形態を説明する。また、実施の形態２では、デジタルカメラと録画装置との間に更にデジタルカメラ内の充電池を充電するステーションを介して画像データの読み出しが行われる。実施の形態２の録画装置の構成は、ＣＰＵ１２により行われる制御が異なるが、実施の形態１の録画装置とほぼ同様であるので説明を省略する。
【００７８】
先ず、録画装置１と接続されるステーション及びデジタルカメラについて説明する。図１５は、ステーション２の構成を示すブロック図である。ステーション２について図１５を用いて説明する。
【００７９】
ＡＣアダプタ２ｅは、不図示の商用電源と接続され、装着されるデジタルカメラ３に電力を供給するための電源装置である。また、デジタルカメラ３に装着された充電池３ｂの充電にも用いられる。ＤＳＣ接続コネクタ２ｊは、デジタルカメラ３に設けられたＤＳＣ接続コネクタ３ｎと接続するコネクタであり、図２の信号端子２ｄと充電端子２ｆに対応している。ＤＳＣ接続コネクタ２ｊは、ＡＣアダプタ２ｅ、IEEE1394インターフェース２ｃと電気的に接続されている。このＤＳＣ接続コネクタ２ｊを介して、デジタルカメラ３に電力を供給したり、信号の授受をする。信号端子２ｄは、IEEE1394規格に準拠した信号の授受を行うための端子である。このＤＳＣ接続コネクタ２ｊは、デジタルカメラ３と接続するために設けられた専用形状で構成されたコネクタである。なお、図２では言及しなかったがＤＳＣ接続コネクタ２ｊは、ＡＶコネクタ２ｇとも電気的に接続する端子も備えている。
【００８０】
ＡＶコネクタ２ｇは、デジタルカメラ３内でＮＴＳＣ変換されたテレビ信号を外部に出力するためのコネクタである。実施の形態では説明していないが、このＡＶコネクタ２ｇと他の機器のＡＶコネクタとを接続することで、IEEEインターフェースを備えていない機器でもデジタルカメラ３内で変換されたテレビ信号を鑑賞することができる。
【００８１】
IEEE1394コネクタ２ｃは、録画装置１に搭載されたIEEE1394インターフェース間を結ぶケーブル２ｂを接続するためのコネクタである。
【００８２】
ＬＥＤ２ｉは、メモリ用ＬＥＤ２ｋと充電用ＬＥＤ２ｍとを有する。ＬＥＤ２ｉは、その点灯状態により、デジタルカメラ３内に装着されたカードメモリと充電池３ｂの状態を使用者に知らしめる。
【００８３】
ＬＥＤドライバ２ｈは、デジタルカメラ３のＣＰＵ３ｈまたは録画装置１のＣＰＵ１２からの指令によりＬＥＤ２ｉの点灯制御を行う。
【００８４】
図１６は、デジタルカメラ３の構成を示すブロック図である。
【００８５】
実施の形態２のデジタルカメラ３について図１６を用いて説明する。また、ここでは撮影、画像処理の説明を省略しているが当然、撮影レンズ、撮像素子、画像処理回路等は備えている。
【００８６】
ＣＰＵ３ｈは、デジタルカメラ３内の各装置を制御し、録画装置１内のＣＰＵ１２と連携して後述の図２６に示すフローを処理する。スイッチ回路３ｆは、デジタルカメラ３に設けられたレリーズボタン３ｒ、コマンドダイヤル３ｓ等が操作されることを検出してＣＰＵ３ｈに伝達する回路である。IEEE1394インターフェース３ｅは、制御信号、画像または音声信号等を録画装置１に搭載されたIEEE1394インターフェースと送受信するための装置である。IEEE1394コネクタ３ｄは、IEEE1394インターフェースを備えた他の機器と信号の授受を行うためのコネクタである。実施の形態２では説明していないが、ステーション２を介さずに直接デジタルカメラ３と録画装置１と信号の授受を行うときに使用される。ＡＶコネクタ３ｍは、ＮＴＳＣ変換されたテレビ信号を外部に出力するためのコネクタである。実施の形態２では説明していないが、このＡＶコネクタ３ｍと他の機器のＡＶコネクタとを接続することで、IEEE1394インターフェースを備えていない機器でもデジタルカメラ３内で変換されたテレビ信号を鑑賞することができる。
【００８７】
ＤＳＣ接続コネクタ３ｎは、ステーション２に設けられたＤＳＣ接続コネクタ２ｊと接続するコネクタである。ＤＳＣ接続コネクタ３ｎを介して、電力の供給を受けたり、信号の授受をする。ＤＳＣ接続コネクタ３ｎは、ＤＳＣ接続コネクタ２ｊと同様に、信号端子、充電端子、ＡＶ端子を備える。信号端子での信号の授受は、IEEE1394規格に準拠した信号で行われる。このＤＳＣ接続コネクタ３ｎは、ステーション２と接続するために設けられた専用形状で構成されたコネクタである。充電池３ｂは、デジタルカメラ３内の各装置を駆動するため電力を供給する電池である。充電池３ｂは、ステーション２内のＡＣアダプタ２ｅから供給された電力により充電を行う。カードスロット３ｉは、装着されたカードメモリに画像または音声信号を記録し、また読み取る装置である。カードドライバ３ｊは、ＣＰＵ３ｈからの指令によりカードスロット３ｉを駆動する装置である。また、録画装置１、デジタルカメラ３は電源がＯＦＦの状態でも、IEEE1394インターフェースを介して外部から入力された信号により電源をＯＮすることが可能である。
【００８８】
（ａ）充電；画像吸い上げフロー
図１７、図１８は、録画装置１内のＣＰＵ１２で実行される画像吸い上げ制御のフローチャート図である。図１７に示すフローは、録画装置１によりステーション２にデジタルカメラ３が接続されたことを検出することによりスタートする。録画装置１には常に待機状態でいるため微少電流が流れており、IEEE1394コネクタ４ｉ、ケーブル２ｂ、IEEE1394コネクタ２ｃを介してステーション２と通信可能状態にある。ステーション２にデジタルカメラ３が接続されたことが検出できる。
【００８９】
ステップＳ１５１では、デジタルカメラ３からの画像及び音声信号の受信に必要な機能を起動する。具体的には、メイン電源をＯＮし、画像及び音声信号を記録するハードディスク１６の駆動、受信プログラムの起動等を行う。ステップＳ１５２では、ケーブル２ａを介してステーション２内のＡＣアダプタ２ｅを駆動させ、デジタルカメラ３に電力を供給するとともに、デジタルカメラ３のメイン電源をＯＮする。当然、接続前からデジタルカメラ３のメイン電源がＯＮしていた場合には、メイン電源のＯＮ状態を継続させる。ステップＳ１５３では、デジタルカメラ３内に、録画装置１で取り扱える（再生できる）画像及び音声信号のファイルが存在するか否かを検出する。存在する場合にはステップＳ１５４進み、存在しない場合には図１８のステップＳ１６１に進む。ここで、録画装置１は、ＪＰＥＧファイル、ＭＰＥＧファイル、ＧＩＦファイル、ビットマップファイル、フラッシュピックスファイル等の標準化された画像ファイル、ＷＡＶＥファイル等の音声ファイルは予め取り扱うことができるように設定されている。
【００９０】
デジタルカメラには、各メーカーが独自に開発した形式で記録した画像ファイルが存在する場合がある。こうした独自形式の画像ファイルは専用のソフトウェアが無いと取り扱うことができない。また、デジタルカメラに装着されるカードメモリは、デジタルカメラ以外の機器でも使用できるため、文書ファイル等、画像、音声ファイル以外のファイルが存在する可能性もある。録画装置１で取り扱えないファイルは、受信しても再生することができないので受信しない。
【００９１】
なお、デジタルカメラ３がカードメモリの着脱可能な場合にカードメモリを備えていない場合には当然ファイルが存在しないと判断される。カードメモリを備えていない場合は、デジタルカメラ３のＬＣＤ３ｑに、カードメモリが存在しないことを使用者に伝える警告表示を行わせるようにデジタルカメラ３を制御する。また、取り扱えないファイルが存在する場合には、デジタルカメラ３のＬＣＤ３ｑに、取り扱えないファイルが存在することを使用者に伝える警告表示を行わせるようにデジタルカメラ３を制御する。
【００９２】
ステップＳ１５４では、ハードディスク１６の共通フォルダに日付等の名前を付したフォルダを作成する。例えは、フォルダ名は、「990401-990402」と受信する画像及び音声信号ファイルの最初に記録されたファイルの日時と最後に記録されたファイルの日時を表すようにする。日付情報は画像及び音声信号ファイルのヘッダ部に記録されている日付情報を使用する。共通フォルダは、ハードディスク１６内に予め作成されているフォルダで、デジタルカメラ３からファイルが転送されるフォルダである。また、録画装置１には共用フォルダの中に、「家族」「お父さん」「お母さん」「太郎」と名付けられたフォルダが予め作成されている。ステップＳ１５５では、ステーション２のメモリ用ＬＥＤ２ｋを点滅させ、ファイルの転送中であることを使用者に知らしめる。ステップＳ１５６では、デジタルカメラ３から撮影、録音順に画像及び音声信号ファイルを受信し、ハードディスク１６の「990401-990402」フォルダに記録する。本ステップの信号受信制御については図１９を用いて詳述する。
【００９３】
ステップＳ１５７では、デジタルカメラ３のＬＣＤ３ｑに表示を行い、どのフォルダに保存するか問い合わせる。ここでは、共用フォルダの中に作られているフォルダを選択可能に表示している。フォルダを選択する方法は、コマンドダイヤル３ｓを回転することでフォルダを選択し、レリーズボタン３ｒを押すことで選択されたフォルダが指示される。ステップＳ１５８では、フォルダが指示されたか否かを検出し、検出された場合にはステップＳ１６０に進み、検出されない場合にはステップＳ１５９に進む。ステップＳ１５９では、フォルダの問い合わせを始めてから所定時間が経過したかを検出する。所定時間経過していれば図１８のステップＳ１６１に進み、所定時間経過していなければステップＳ１５７に戻り、フォルダの問い合わせを継続する。
【００９４】
ステップＳ１６０では、共用フォルダの中のフォルダ「990401-990402」ごとフォルダ構造を崩すことなく指定されたフォルダに移動する。ステップＳ１６１では、デジタルカメラ３に装着されたカードメモリが空であるか否かを検出する。空である場合はステップＳ１６２に進み、空でない場合にはステップＳ１６３に進む。ステップＳ１６２では、ステーション２のメモリ用ＬＥＤ２ｋを点灯させ、デジタルカメラ３に装着されたカードメモリが空であることを使用者に知らしめる。
【００９５】
一方、ステップＳ１６３では、ステーション２のメモリ用ＬＥＤ２ｋを消灯させ、デジタルカメラ３に装着されたカードメモリが空でないことを使用者に知らしめる。ステップＳ１６４では、デジタルカメラ３のメイン電源をＯＦＦさせる。接続前からデジタルカメラ３のメイン電源がＯＮしていた場合でも、本ステップでデジタルカメラ３のメイン電源をＯＦＦさせる。ステップＳ１６５では、デジタルカメラ３内に充電池３ｂが装着されているか否かを検出する。充電池３ｂが装着されている場合にはステップＳ１６６に進み、充電池３ｂでない、または装着されていない場合にはステップＳ１７０に進む。ステップＳ１６６では、デジタルカメラ３の充電池３ｂの充電を開始する。ステップＳ１６７では、ステーション２の充電用ＬＥＤ２ｍを点滅させ、充電池３ｂが充電中であることを使用者に知らしめる。ステップＳ１６８では、充電が完了したか否かを検出する。完了していればステップＳ１６９に進み、完了していなければステップＳ１６６に戻り、充電を継続する。ステップＳ１６９では、ステーション２の充電用ＬＥＤ２ｍを点灯させ、充電池３ｂが充電完了したことを使用者に知らしめる。ステップＳ１７０では、ステーション２に対して電力供給を終了する。ステップＳ１７１では、録画装置１のメイン電源をＯＦＦし、本フローを終了する。
【００９６】
（ｂ）信号受信
図１９から図２１を用いて図１７におけるステップＳ１５６の信号受信制御について説明する。
【００９７】
ステップＳ１０１では、デジタルカメラ３とステーション２との接続状態が解除された場合に処理される接続解除割り込み処理の割り込みを可能にする。接続解除割り込み処理は図２０を用いて説明する。ステップＳ１０２では、デジタルカメラ３により転送中止が指示されたか否かを検出する。デジタルカメラ３のレリーズボタンが操作されることにより転送中止が指示される。転送中止が指示された場合には図２０のステップＳ１１０に進み、指示されていなければステップＳ１０３に進む。ステップＳ１０３では、デジタルカメラ３の未転送ファイルが記録されているフォルダ（階層）構造を検出する。未転送ファイルがフォルダ構造を有している場合はステップＳ１０４に進み、フォルダ構造を有していない場合はステップＳ１０６に進む。ステップＳ１０４では、ステップＳ１０３で検出されたフォルダが録画装置１内に既に存在しているか検出する。存在していればステップＳ１０６に進み、存在していなければステップＳ１０５に進む。ステップＳ１０５では、図１７のステップＳ１５４で作成されたフォルダ「990401-990402」内に、更にフォルダを作成する。
【００９８】
一方、ステップＳ１０６では、デジタルカメラ３に未転送ファイルを転送するよう指示し、図１７のステップＳ１５４、ステップＳ１０５で作成されたフォルダ内に記録する。これによりデジタルカメラ３内にフォルダ構造で記録されていた場合には、記録されていたフォルダ構造を崩すことなく録画装置１に記録でき、整理しやすい。更にステップＳ１０６では、デジタルカメラ３のＬＣＤ３ｑを使用して転送中であることを表示するようデジタルカメラ３に指示する。ステップＳ１０７では、デジタルカメラ３から録画装置１にファイルの記録が完了したか否かを検出する。完了していればステップＳ１０８に進み、完了していなければステップＳ１０６で転送を継続する。
【００９９】
ステップＳ１０８では、デジタルカメラ３内のファイルのヘッダ部に転送済みであることを示す情報を付加するようデジタルカメラ３に指示する。図２１のステップＳ１２１、ステップＳ１２２で、この付加された情報に基づいてファイルが消去される。そしてステップＳ１０９に進む。ステップＳ１０９では、デジタルカメラ３内に、更に録画装置１で取り扱うことができる未転送ファイルが存在するか否かを検出する。未転送ファイルが存在する場合にはステップＳ１０２に戻り、未転送ファイルが存在しない場合には図２１のステップＳ１１６に進む。
【０１００】
前述したステップＳ１０２で転送中止の指示を検出した場合、ステップＳ１１０で、デジタルカメラ３のＬＣＤ３ｑに転送済みのファイルも含めて全ての転送を中止するか使用者に質問する。ステップＳ１１１では、ステップＳ１１０の質問に対して「Ｎｏ」が指示されたか否かを検出する。「Ｎｏ」が指示された場合にはステップＳ１１６に進む。また、「Ｎｏ」が指示されていない場合はステップＳ１１２に進む。ここで、使用者により「Ｎｏ」が指示された場合には転送済みのファイルは転送したままでよいと判断される。ステップＳ１１２では、ステップＳ１１０の質問に対して「Ｙｅｓ」が指示されたか否かを検出する。「Ｙｅｓ」が指示された場合にはステップＳ１１４に進み、「Ｙｅｓ」が指示されていない場合はステップＳ１１３に進む。ここで、使用者により「Ｙｅｓ」が指示された場合には、充電をするためにステーション２に装着したものと判断される。「Ｙｅｓ」か「Ｎｏ」を指示する方法は、コマンドダイヤル３ｓを回転することにより「Ｙｅｓ」または「Ｎｏ」を選択し、レリーズボタン３ｒを押すことにより選択されたほうが指示される。ステップＳ１１４では、今回転送したファイルとフォルダ、更に「990401-990402」フォルダを録画装置１内のハードディスク１６から削除する。ステップＳ１１５では、デジタルカメラ３内のファイルのヘッダ部に付加された転送済み情報を解除するようデジタルカメラ３に指示する。
【０１０１】
一方、ステップＳ１１３では、転送中止指示がなされてから所定時間が経過したか否かを検出する。所定時間経過していなければステップＳ１１０に戻り、指示を待つ。所定時間経過した場合には、ステップＳ１０２の転送中止指示により充電のみをするためにステーション２に装着されたものと見なしステップＳ１１４に進む。ステップＳ１１６では、プロテクトされたファイルを転送したか否かを検出する。プロテクトされたファイルを転送している場合はステップＳ１１７に進み、プロテクトされたファイルを転送していない場合はステップＳ１２２に進む。プロテクトとは、カードメモリに記録されたファイルを誤消去してしまわないようにファイル管理するようデジタルカメラ３に備えられた機能である。通常、プロテクトを解除しない限りそのファイルは消去することはできない。ステップＳ１１７では、プロテクトされたファイルを消去するかＬＣＤ３ｑに表示する。  ステップＳ１１８では、ステップＳ５１７の質問に対して「Ｎｏ」が指示されたか否かを検出する。「Ｎｏ」が指示されたことを検出した場合はステップＳ１２２に進む。また、「Ｎｏ」が指示されたことを検出しない場合はステップＳ１１９に進む。ステップＳ１１９では、ステップＳ１１７の質問に対して「Ｙｅｓ」が指示されたか否かを検出する。「Ｙｅｓ」が指示されたことを検出した場合はステップＳ１２１に進む。また、「Ｙｅｓ」が指示されたことを検出しない場合はステップＳ１２０に進む。ステップＳ１２０では、プロテクトされたファイルを消去するかＬＣＤ３ｑに表示し始めてから所定時間が経過したか否かを検出する。所定時間経過していなければステップＳ１１７に戻り、指示を待つ。また、所定時間経過していればステップＳ１２１に進む。ここでは特に指示されない場合には、カードメモリの空き容量を増やすために、プロテクトされたファイルを削除するようにした。ステップＳ１２１では、ステップＳ１０８でファイルのヘッダ部に付加された転送済み情報を検索して、デジタルカメラ３から転送が完了しているファイルを削除する。ステップＳ１２２では、ステップＳ１０８でファイルのヘッダ部に付加された転送済み情報とプロテクト情報を検索して、デジタルカメラ３から転送が完了しているファイルのうちプロテクトされていないファイルのみを削除する。ステップＳ１２３では、接続解除割り込み処理の割り込みを不可にし、本フローを終了する。
【０１０２】
（ｃ）途中取り外し
図２０を使用して接続解除割り込み処理を説明する。本フローは、割り込みが可能である状態において、ステーション２とデジタルカメラ３との接続が解除されることによりスタートする。
【０１０３】
ステップＳ１８１では、デジタルカメラ３の表示部を使用して接続されていないことを警告し、使用者に接続することを促す。ステップＳ１８２では、ファイルの転送途中に接続解除があり、ハードディスク１６内に転送が完了していないファイルが存在するか否かを検出する。存在する場合にはステップＳ１８３に進み、存在しない場合にはステップＳ１８４に進む。ステップＳ１８３では、ハードディスク１６内の転送完了していないファイルを削除する。ステップＳ１８４では、デジタルカメラ３とステーション２が接続されたか否かを検出する。接続されたことが検出された場合にはステップＳ１８７に進み、検出されない場合にはステップＳ１８５に進む。ステップＳ１８７では、再度接続されたデジタルカメラが前回接続されていたデジタルカメラ３であるか判別する。同じデジタルカメラ３であった場合には図１９のステップＳ１０９に進む。これにより、既に作成されたフォルダに転送を可能にする。異なるデジタルカメラであった場合には図１７のステップＳ１５２に進む。
【０１０４】
一方、ステップＳ１８５では、接続が解除されてからの経過時間が所定時間を越えたか否かを検出する。経過時間が所定時間を越えた場合にはステップＳ１８６に進み、越えていない場合にはステップＳ１８４に戻る。ステップＳ１８６では、録画装置１の電源をＯＦＦして本フローを終了する。
【０１０５】
実施の形態２では、全てのファイルの転送が終了した後に、正常に転送したファイルに対応するデジタルカメラ３内のファイルを一括して消去するよう構成した。しかし、それだけに限らず、１つのファイルの転送が終了した時点で対応するファイルを個別に消去するようにしてもよい。なお、実施の形態２のデジタルカメラでは、転送が終了したファイルを実際に消去する例を説明したが、ファイルの上書き可能なデジタルカメラではファイルのヘッダ部に消去可能情報を付加するのみで実際に消去しなくてよい。
【０１０６】
録画装置とデジタルカメラがステーションを介して接続された場合には上記のようにデジタルカメラ内の充電池への充電制御を行うが、録画装置とデジタルカメラが直接接続された場合には充電制御は省略される。
（実施の形態３）
以下に本発明係る録画装置の実施の形態３について説明する。実施の形態３の録画装置の構成は、複数のデータを同時に再生、記録することができないことと、ＣＰＵ１２により行われる制御が異なるが、実施の形態１の録画装置とほぼ同様であるので説明を省略する。実施の形態３の録画装置では、カードスロット２２にカードメモリが挿入されることにより自動的にカードメモリ内の画像データの読み込みを行う。以下に図２２から図２９を用いて説明する。
【０１０７】
図２２は、本発明の録画装置の動作を示すメインフローである。ステップＳ３０１でメイン電源がオンされることにより、メインフローが開始される。所定の立上がり処理を行った後、フローはステップＳ３０２に進み、カードメモリがいつ挿入されても対応できるようにするために、カード挿入割込みを可能にする。ステップＳ３０３では、鑑賞モードへの切換操作にいつでも対応できるようにするために、鑑賞割込みを可能にする。ステップＳ３０４では、メイン電源のオフ操作がおこなわれた場合に対応するために、メイン電源ＯＦＦ割込みを可能にする。観賞モードとは、ハードディスク１６に記録されている静止画像データ、番組映像データを観賞するモードである。
【０１０８】
以上の各割込みを可能にしたあと、フローはステップＳ３０５においてオートパワーオフ処理を行う。換言すると、ステップＳ３０５においてオートパワーオフのタイマーがスタートされ、その後、タイマーで設定された時間内に何の操作も行われないと、オートパワーオフとなり、自動的に装置への主要な電源供給が断たれると共に、微弱電流の供給を維持してスタンバイ状態に入る。スタンバイ状態において、所定の操作が検出されると、装置はオートパワーオンとなる。以上の処理を行ったあと、ステップＳ３０６において鑑賞フローに入る。
【０１０９】
図２３は、カード挿入起動フローを示す。ステップＳ３０７でカードが挿入されると、ステップＳ３０８において、装置がそのときスタンバイ状態かどうかがチェックされ、スタンバイ状態であれば、ステップＳ３０９においてオートパワーオンの処理をして電源を投入してステップＳ３１０に進む。スタンバイ状態でなければ、既に装置はパワーオン状態なので、直接ステップＳ３１０に進む。
【０１１０】
ステップＳ３１０では、メイン電源OFF割込みを禁止する。これは、挿入されたカードのデータ吸上げと吸上げ済みデータの消去が済む前に電源がオフされるのを防止するためである。次に、ステップＳ３１１において、現在鑑賞フローが実行中かどうかがチェックされる。鑑賞フローが実行中でなければ、ステップＳ３１２でカード挿入割込へ進む。一方、鑑賞フローの実行中であれば、ステップＳ３１３でカード挿入割込み保留処理を行ったあと、ステップＳ３１４で鑑賞フローにもどる。これにより、鑑賞中にカードを挿入したときは、鑑賞が妨げられることがない。一方、カードが新たに挿入された事実は保存されるので、後述のように鑑賞を妨げない時点でカード挿入割込みが実行される。また、後述のように、カード挿入割込みが実行されれば、その完了によってメイン電源OFF割込み
が可能になる。
【０１１１】
図２４は、カード割込みフローを示す。図２３のステップＳ３１２から図２４のステップS３１５に進んでカード挿入割込みが掛かると、ステップS３１６において、データ吸上げ処理が実行される。データ吸上げ処理が完了すると、ステップS３１７でメイン電源OFF割込みが可能な状態に戻り、ステップS３１８でオートパワーオフが行われる。ステップS３１９では、メイン電源オフ保留処理状態にあるかどうかがチェックされ、保留処理状態であれば、ステップS３２０でメイン電源をオフし電源供給を完全に停止する。一方、保留処理状態でなければ、メイン電源がオフされた履歴はないので、スタンバイ状態のままステップS３２１でメインフローに戻る。
【０１１２】
図２５は、図２４におけるステップS３１６のデータ吸上げ処理の詳細を示すフローである。ステップS３２２が処理のスタートで、ステップS３２３ではカード取出し割込みを可能とする。これは、データ吸上げ中に不用意にカードが抜かれた場合に対応するためである。ステップS３２４では、挿入されたカードメモリの中に既に吸上げ済みのファイルがないかチェックする。一度挿入されたあとデータ吸上げが中断された場合において、再度カードが挿入されると、「吸上げ済み」のフラグは立っているが消去がなされていないファイルが存在する場合がある。そのような場合は、ステップＳ３２５においてそのファイルが吸上げ対象から除去される。ステップＳ３２６では、ファイルのデータの吸上げが実行され、一つのファイルの吸上げが終わる毎にそのファイルに「吸上げ済み」のフラグが立てられ、ステップＳ３２７においてフラグの立っているファイルの消去が行われる。ステップＳ３２６からステップＳ３２７への移行は一つのファイルの吸い上げが完了するごとに行われる。なお、これに代えて、ステップＳ３２６においてすべてのファイルの吸上げが完了してからステップＳ３２７に移行するようにしてもよい。ステップＳ３２８ではデータ吸上げ又は消去が行われていないファイが残っていないかチェックされ、残りがあればステップＳ３２６に戻る。データ吸上げ可能なファイルがすべて吸上げられ且つ消去された場合は、ステップＳ３２９に進み、カード取出し割込みを不可として、ステップＳ３３０でデータ吸上げ処理フローは完了する。
【０１１３】
図２６は、カード取出し割込みフローである。データ吸上げ中に不用意にカードが抜かれた場合、ステップＳ３３１において、カード取出し割込みがかかる。ステップＳ３３２では、一つのファイルのデータ吸上の最中にカードが抜き取られた結果、吸上げたデータが不完全になっているものがないかどうかチェックする。そしてデータが不完全なファイルがあれば、ステップＳ３３３でそのようなファイルを吸上げデータの中から消去する。これらのファイルのデータはカードの中に消去されずに残っているので、カードを再度挿入して吸上げればよい。ステップＳ３３４では、抜かれたカードの中の吸上げるべきデータがすべて吸い上げられ且つ消去されたかどうチェックする。吸上げるべきデータの管理データはカードを挿入した当初に読み取られているので、この管理データと実行した吸上げおよび消去履歴を比較することによりステップＳ３３４のチェックは可能である。そして、消去残りのデータがあれば、ステップＳ３３５で「吸上げ未完」表示を行い、再度カードを挿入することをユーザに促す。以上の処理を終わり、ステップＳ３３６で、現在鑑賞フロー実行中であることを確認した場合は、ステップＳ３３７で鑑賞フローに戻る。この場合、結果的に見れば、鑑賞中にカードメモリが抜かれていたことになる。一方、鑑賞中でなければ、ステップＳ３３８でメインフローに戻る。
【０１１４】
図２７は、鑑賞割込みフローである。ステップＳ３３９で鑑賞割込みがかかると、ステップＳ３４０でデータ吸上げ処理中である可動化チェックする。データ吸上げ処理中であれば、ステップＳ３４１で処理を強制終了する。これは、今すぐ鑑賞したいというユーザの希望を優先し、待たせないためである。データ吸上げ処理を強制終了したときは、ステップＳ３４２でカード挿入割込み保留処理を行い、鑑賞が終わった後でデータ吸上げ処理を再開する準備をしておく。以上も処理をして、ステップＳ３４３で鑑賞フローに入る。一方ステップＳ３４０において、データ吸上げ処理中でなかった場合は、直接ステップＳ３４３の鑑賞フローに入る。
【０１１５】
図２８は鑑賞フローであり、ステップＳ３４４でこのフローがスタートするとステップＳ３４５で鑑賞処理が行われる。ステップＳ３４６では、鑑賞が終了したかどうかがチェックされ、終了でなければステップＳ３４５に戻る。一方、鑑賞が終了した場合は、ステップＳ３４７でカード挿入割込み保留処理がなされているかどうかチェックする。保留処理がなされていれば、ステップＳ３４８でカード割込みへ進み、データ吸上げ処理を再開する。一方、カード挿入割込み保留処理がなければ、ステップＳ３４９でメインフローにもどる。
【０１１６】
図２９は、メイン電源オフ割込みフローである。メイン電源オフ操作がなされてステップＳ３５０でメイン電源オフ割込みがかかると、ステップＳ３５１でカード挿入割込み保留処理がなされているかどうかチェックする。処理がなされていれば、ステップＳ３５２でメイン電源オフ保留処理を行ったうえ、ステップＳ３５３でカード挿入割込みへ進む。これによって、カードメモリの挿入が行われたにもかかわらず静止画像データを吸上げることなくメイン電源がオフされることを防止する。
【０１１７】
一方ステップＳ３５１でカード挿入割込み保留処理がなされていなければ、操作どおりにメイン電源をオフする。
【０１１８】
また、実施の形態３の録画装置では、観賞モードのときにはカードメモリからの画像データの吸上げを保留するようにした。しかし、特に静止画像データの観賞のときには、観賞する画像データをハードディスク１６から読み込んでしまえば、観賞中であってもカードメモリ内の画像データをハードディスク１６に記録することが可能である。観賞する画像データの読み出しを優先して、観賞中でもバックグラウンドでカードメモリ内の画像データを吸上げてハードディスク１６に記録するようにすると効率がよい。
【０１１９】
また、実施の形態３の録画装置では、カードメモリ内の静止画像データの自動吸上げが終了した後に、吸上げが完了した静止画像データを消去するように制御する。しかし、カードメモリには誤消去防止用のプロテクトスイッチを持つものがあり、プロテクト状態になっているカードメモリ内の画像データは消去しない。その場合には使用者に、カードメモリ内に静止画像データが存在していること、残りのメモリ容量を知らせ、次の撮影時にフル枚数の撮影ができないことを警告する。
【符号の説明】
【０１２０】
１…録画装置
４…選局回路
７…ＭＰＥＧ回路
１１…ＪＰＥＧ回路
１２…ＣＰＵ
１６…ハードディスク
２２…カードスロット
２４…リモコン
１１２…カードメモリ挿入口
１１３…イジェクトボタン
１１０、２１２…表示部
１１４…IEEE1394コネクタ
１００、２００…電源ボタン
１０２、２０２…選択ボタン
１０３、２０３…再生一時停止ボタン
１０４、２０４…再生ボタン
１０５、２０５…再生停止ボタン
１０６、２０６…録画一時停止ボタン
１０７、２０７…録画ボタン
１０８、２０８…録画停止ボタン
１０９、２０９…十字ボタン
２１０…○ボタン
２１１…×ボタン
【図１】
2010035244.tif 000003
【図２】
2010035244.tif 000004
【図３】
2010035244.tif 000005
【図４】
2010035244.tif 000006
【図５】
2010035244.tif 000007
【図６】
2010035244.tif 000008
【図７】
2010035244.tif 000009
【図８】
2010035244.tif 000010
【図９】
2010035244.tif 000011
【図１０】
2010035244.tif 000012
【図１１】
2010035244.tif 000013
【図１２】
2010035244.tif 000014
【図１３】
2010035244.tif 000015
【図１４】
2010035244.tif 000016
【図１５】
2010035244.tif 000017
【図１６】
2010035244.tif 000018
【図１７】
2010035244.tif 000019
【図１８】
2010035244.tif 000020
【図１９】
2010035244.tif 000021
【図２０】
2010035244.tif 000022
【図２１】
2010035244.tif 000023
【図２２】
2010035244.tif 000024
【図２３】
2010035244.tif 000025
【図２４】
2010035244.tif 000026
【図２５】
2010035244.tif 000027
【図２６】
2010035244.tif 000028
【図２７】
2010035244.tif 000029
【図２８】
2010035244.tif 000030
【図２９】
2010035244.tif 000031